【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
プロセス制御プラントと関連付けられたプロセス制御データを格納するためのシステムであって、
前記プロセス制御プラント内の複数の装置によって制御される少なくとも１つのプロセスに対応するプロセス制御データを格納するように構成されたデータ記憶装置と、
前記プロセス制御データを前記複数の装置から受信するように構成されたデータ受信装置であって、前記プロセス制御データが、各々がそれぞれのプロセス変数と関連付けられた複数の部分を含む、データ受信装置と、
前記データ記憶装置および前記データ受信装置とインタフェースをとるように適合され、かつ前記プロセス制御データのそれぞれの前記部分の各々に対して、
（１）前記それぞれのプロセス変数、（２）前記プロセス制御データの前記それぞれの部分と関連付けられたタイムスタンプであって、前記タイムスタンプが丸められたタイムスタンプ部分および残りのタイムスタンプ部分を含む、タイムスタンプ、ならびに（３）前記それぞれのプロセス変数と関連付けられた測定値、を識別することと、
前記データ記憶装置内に格納される行キーであって、前記それぞれのプロセス変数および前記丸められたタイムスタンプ部分の組合せである行キーを識別することと、
前記行キーと関連付けられた前記データ記憶装置の部分内に、前記残りのタイムスタンプ部分および前記測定値を格納することと
を行うように構成された、プロセッサと
を備える、プロセス制御プラントと関連付けられたプロセス制御データを格納するためのシステム。
【請求項２】
前記プロセッサが前記行キーを、
前記それぞれのプロセス変数および前記丸められたタイムスタンプ部分を連結することにより前記行キーを生成すること、および
前記行キーを前記データ記憶装置内に格納すること
により識別する、請求項１に記載のシステム。
【請求項３】
（ｉ）前記タイムスタンプが、ＵＮＩＸエポック値として表され、前記丸められたタイムスタンプ部分が、所定の段階によって切り下げられた前記タイムスタンプであり、かつ、前記残りのタイムスタンプ部分が、前記所定の段階によって切り下げられた前記タイムスタンプの残りであること、又は、
（ｉｉ）前記丸められたタイムスタンプ部分が前記タイムスタンプの上位タイムスタンプに対応し、かつ、前記残りのタイムスタンプ部分が前記タイムスタンプの下位タイムスタンプに対応すること、
のうちの少なくとも１つを特徴とする、請求項１に記載のシステム。
【請求項４】
前記プロセッサが、前記プロセス制御データの前記それぞれの部分の各々に対して、
前記測定値の状態を識別することと、
前記行キーと関連付けられた前記データ記憶装置の前記部分内に、前記測定値の前記状態を格納することと
を行うようにさらに構成されている、請求項１に記載のシステム。
【請求項５】
前記データ受信装置が、追加のプロセス制御データを前記複数の装置から受信するようにさらに構成され、前記追加のプロセス制御データが、各々が前記それぞれのプロセス変数と関連付けられた複数の追加の部分を含み、かつ、前記プロセッサが、前記追加のプロセス制御データのそれぞれの前記追加の部分の各々に対して、
（１）前記それぞれのプロセス変数、（２）前記追加のプロセス制御データの前記それぞれの追加の部分と関連付けられた追加のタイムスタンプであって、前記追加のタイムスタンプが第１の追加のタイムスタンプ部分および第２の追加のタイムスタンプ部分を含む、追加のタイムスタンプ、ならびに（３）前記それぞれのプロセス変数と関連付けられた追加の測定値、を識別することと、
前記第１の追加のタイムスタンプ部分が、前記行キーに対応する前記丸められたタイムスタンプ部分と一致すると判断することと、
前記行キーと関連付けられた前記データ記憶装置の前記部分内に、前記第２の追加のタイムスタンプ部分および前記追加の測定値を格納することと
を行うようにさらに構成されている、
請求項１に記載のシステム。
【請求項６】
プロセス制御プラントと関連付けられたプロセス制御データを格納する方法であって、前記方法が、
前記プロセス制御プラント内の少なくとも１つのプロセスを制御するように構成された複数の装置からプロセス制御データを受信することであって、前記プロセス制御データが、各々がそれぞれのプロセス変数と関連付けられた複数の部分を含む、プロセス制御データを受信することと、
前記プロセス制御データのそれぞれの前記部分の各々に対して、
（１）前記それぞれのプロセス変数、（２）前記プロセス制御データの前記それぞれの部分と関連付けられたタイムスタンプであって、前記タイムスタンプが丸められたタイムスタンプ部分および残りのタイムスタンプ部分を含む、タイムスタンプ、ならびに（３）前記それぞれのプロセス変数と関連付けられた測定値、を識別することと、
データ記憶装置内に格納される行キーであって、前記それぞれのプロセス変数および前記丸められたタイムスタンプ部分の組合せである行キーを、プロセッサによって、識別することと、
前記行キーと関連付けられた前記データ記憶装置の部分内に、前記残りのタイムスタンプ部分および前記測定値を格納することと
を含む、
プロセス制御プラントと関連付けられたプロセス制御データを格納する方法。
【請求項７】
前記行キーを識別することが、
前記それぞれのプロセス変数および前記丸められたタイムスタンプ部分を連結することにより前記行キーを生成することと、
前記行キーを前記データ記憶装置内に格納することと
を含む、請求項６に記載の方法。
【請求項８】
（ｉ）前記タイムスタンプが、ＵＮＩＸエポック値として表され、前記丸められたタイムスタンプ部分が、所定の段階によって切り下げられた前記タイムスタンプであり、かつ、前記残りのタイムスタンプ部分が、前記所定の段階によって切り下げられた前記タイムスタンプの残りであること、又は、
（ｉｉ）前記丸められたタイムスタンプ部分が前記タイムスタンプの上位タイムスタンプに対応し、かつ、前記残りのタイムスタンプ部分が前記タイムスタンプの下位タイムスタンプに対応すること、
のうちの少なくとも１つを特徴とする、請求項６に記載の方法。
【請求項９】
前記プロセス制御データの前記それぞれの部分の各々に対して、
前記測定値の状態を識別することと、
前記行キーと関連付けられた前記データ記憶装置の前記部分内に、前記測定値の前記状態を格納することと
をさらに含む、請求項６に記載の方法。
【請求項１０】
追加のプロセス制御データを前記複数の装置から受信することであって、前記追加のプロセス制御データが、各々が前記それぞれのプロセス変数と関連付けられた複数の追加の部分を含む、追加のプロセス制御データを受信することと、
前記追加のプロセス制御データのそれぞれの前記追加の部分の各々に対して、
（１）前記それぞれのプロセス変数、（２）前記追加のプロセス制御データの前記それぞれの追加の部分と関連付けられた追加のタイムスタンプであって、前記追加のタイムスタンプが第１の追加のタイムスタンプ部分および第２の追加のタイムスタンプ部分を含む、追加のタイムスタンプ、ならびに（３）前記それぞれのプロセス変数と関連付けられた追加の測定値、を識別することと、
前記第１の追加のタイムスタンプ部分が、前記行キーに対応する前記丸められたタイムスタンプ部分と一致すると判断することと、
前記行キーと関連付けられた前記データ記憶装置の前記部分内に、前記第２の追加のタイムスタンプ部分および前記追加の測定値を格納することと
をさらに含む、請求項６に記載の方法。
【請求項１１】
プロセス制御システムであって、
前記プロセス制御システム内のプロセスを制御するように構成されたコントローラと、
前記コントローラに通信可能に接続されたフィールド装置であって、前記フィールド装置が前記プロセス制御システム内の前記プロセスを制御するために物理的な機能を実行するように構成され、かつ前記フィールド装置が、前記物理的な機能に対応するリアルタイムデータを、前記コントローラに送信するか、または前記コントローラから受信するように構成された、フィールド装置と、
プロセス制御システムビッグデータ装置であって、前記プロセス制御システムビッグデータ装置が、
前記リアルタイムデータを格納するように構成されたデータ記憶装置と、
前記リアルタイムデータを前記フィールド装置から受信するように構成されたデータ受信装置であって、前記リアルタイムデータが、各々がそれぞれのプロセス変数と関連付けられた複数の部分を含む、データ受信装置と、
前記データ記憶装置および前記データ受信装置とインタフェースをとるように適合され、かつ前記リアルタイムデータのそれぞれの前記部分の各々に対して、
（１）前記それぞれのプロセス変数、（２）前記リアルタイムデータの前記それぞれの部分と関連付けられたタイムスタンプであって、前記タイムスタンプが丸められたタイムスタンプ部分および残りのタイムスタンプ部分を含む、タイムスタンプ、ならびに（３）前記それぞれのプロセス変数と関連付けられた測定値、を識別することと、
前記データ記憶装置内に格納される行キーであって、前記それぞれのプロセス変数および前記丸められたタイムスタンプ部分に基づく、行キーを識別することと、
前記行キーと関連付けられた前記データ記憶装置の部分内に、前記残りのタイムスタンプ部分および前記測定値を格納することと
を行うように構成された、プロセッサと
を含む、プロセス制御システムビッグデータ装置と
を備え、
前記コントローラが、プロセス制御システムビッグデータネットワークの第１のノードであり、前記プロセス制御システムビッグデータ装置が前記プロセス制御システムビッグデータネットワークの第２のノードである、
プロセス制御システム。
【請求項１２】
前記プロセッサが前記行キーを、
前記それぞれのプロセス変数および前記丸められたタイムスタンプ部分を連結することにより前記行キーを生成すること、および
前記行キーを前記データ記憶装置内に格納すること
により識別する、請求項１１に記載のプロセス制御システム。
【請求項１３】
（ｉ）前記タイムスタンプが、ＵＮＩＸエポック値として表され、前記丸められたタイムスタンプ部分が、所定の段階によって切り下げられた前記タイムスタンプであり、かつ、前記残りのタイムスタンプ部分が、前記所定の段階によって切り下げられた前記タイムスタンプの残りであること、又は、
（ｉｉ）前記丸められたタイムスタンプ部分が前記タイムスタンプの上位タイムスタンプに対応し、かつ、前記残りのタイムスタンプ部分が前記タイムスタンプの下位タイムスタンプに対応すること、
のうちの少なくとも１つを特徴とする、請求項１１に記載のプロセス制御システム。
【請求項１４】
前記プロセッサが、前記リアルタイムデータの前記それぞれの部分の各々に対して、
前記測定値の状態を識別することと、
前記行キーと関連付けられた前記データ記憶装置の前記部分内に、前記測定値の前記状態を格納することと
を行うようにさらに構成されている、
請求項１１に記載のプロセス制御システム。
【請求項１５】
前記データ受信装置が、追加のプロセス制御データを複数の装置から受信するようにさらに構成され、前記追加のプロセス制御データが、各々が前記それぞれのプロセス変数と関連付けられた複数の追加の部分を含み、かつ、前記プロセッサが、前記追加のプロセス制御データのそれぞれの前記追加の部分の各々に対して、
（１）前記それぞれのプロセス変数、（２）前記追加のプロセス制御データの前記それぞれの追加の部分と関連付けられた追加のタイムスタンプであって、前記追加のタイムスタンプが第１の追加のタイムスタンプ部分および第２の追加のタイムスタンプ部分を含む、追加のタイムスタンプ、ならびに（３）前記それぞれのプロセス変数と関連付けられた追加の測定値、を識別することと、
前記第１の追加のタイムスタンプ部分が、前記行キーに対応する前記丸められたタイムスタンプ部分と一致すると判断することと、
前記行キーと関連付けられた前記データ記憶装置の前記部分内に、前記第２の追加のタイムスタンプ部分および前記追加の測定値を格納することと
を行うようにさらに構成されている、
請求項１１に記載のプロセス制御システム。
【請求項１６】
プロセス制御プラントと関連付けられたプロセス制御データを格納するためのシステムであって、
前記プロセス制御プラント内の複数の装置によって制御される少なくとも１つのプロセスに対応するプロセス制御データを格納するように構成されたデータ記憶装置と、
前記プロセス制御データを前記複数の装置から受信するように構成されたデータ受信装置であって、前記プロセス制御データが、各々が（１）それぞれのプロセス変数と、（２）前記それぞれのプロセス変数と関連付けられた測定値と、（３）丸められたタイムスタンプ部分および残りのタイムスタンプ部分を含むタイムスタンプと、を有する複数のレコードを含む、データ受信装置と、
前記データ記憶装置および前記データ受信装置とインタフェースをとるように適合され、かつ、
前記丸められたタイムスタンプ部分に基づく設定期間が経過していると判断することと、
前記設定期間内に記録された前記複数のレコードのうちの１つ以上を識別することと、
前記複数のレコードのうちの前記１つ以上から少なくとも１つの統計的パラメータを識別することと、
前記少なくとも１つの統計的パラメータを前記設定期間および前記それぞれのプロセス変数と関連付けられた期間データレコード内に格納することと
を行うように構成されたプロセッサと
を備える、プロセス制御プラントと関連付けられたプロセス制御データを格納するためのシステム。
【請求項１７】
前記丸められたタイムスタンプ部分が前記タイムスタンプの上位タイムスタンプに対応し、かつ、前記残りのタイムスタンプ部分が前記タイムスタンプの下位タイムスタンプに対応する、請求項１６に記載のシステム。
【請求項１８】
前記プロセッサが、前記少なくとも１つの統計的パラメータを、前記複数のレコードのうちの前記１つ以上から、
１つ以上の前記測定値のそれぞれの高値、
前記１つ以上の測定値のそれぞれの低値、
前記１つ以上の測定値のそれぞれの最新値、
前記１つ以上の測定値のそれぞれの標準偏差、
前記１つ以上の測定値のそれぞれの平均値、又は
前記１つ以上の測定値のそれぞれの中央値、
のうちの少なくとも１つを識別することにより、識別する、請求項１６に記載のシステム。
【請求項１９】
前記プロセッサが、前記少なくとも１つの統計的パラメータを、
前記複数のレコードのうちの前記１つ以上から、前記少なくとも１つの統計的パラメータを識別すること、および
前記識別された少なくとも１つの統計的パラメータを、前記複数のレコードのうちの前記１つ以上の前記それぞれのプロセス変数に従ってフィルタ処理すること
により識別する、請求項１６に記載のシステム。
【請求項２０】
前記プロセッサが、
現在の時刻を識別すること、および
前記現在の時刻を前記丸められたタイムスタンプ部分に基づく前記設定期間と比較すること
により、前記丸められたタイムスタンプ部分に基づく前記設定期間が経過していると判断する、
請求項１６に記載のシステム。
【請求項２１】
プロセス制御プラントと関連付けられたプロセス制御データを格納する方法であって、前記方法が、
前記プロセス制御プラント内の少なくとも１つのプロセスを制御するように構成された複数の装置からプロセス制御データを受信することであって、前記プロセス制御データが、各々が（１）それぞれのプロセス変数と、（２）前記それぞれのプロセス変数と関連付けられた測定値と、（３）丸められたタイムスタンプ部分および残りのタイムスタンプ部分を含むタイムスタンプと、を有する複数のレコードを含む、プロセス制御データを受信することと、
前記丸められたタイムスタンプ部分に基づく設定期間が経過していると、プロセッサにより、判断することと、
前記設定期間内に記録された前記複数のレコードのうちの１つ以上を識別することと、
前記複数のレコードのうちの前記１つ以上から少なくとも１つの統計的パラメータを識別することと、
データ記憶装置内に、前記設定期間および前記それぞれのプロセス変数と関連付けられた期間データレコード内に前記少なくとも１つの統計的パラメータを格納することと
を含む、
プロセス制御プラントと関連付けられたプロセス制御データを格納する方法。
【請求項２２】
前記丸められたタイムスタンプ部分が前記タイムスタンプの上位タイムスタンプに対応し、かつ、前記残りのタイムスタンプ部分が前記タイムスタンプの下位タイムスタンプに対応する、請求項２１に記載の方法。
【請求項２３】
前記少なくとも１つの統計的パラメータを識別することが、前記複数のレコードのうちの前記１つ以上から、
１つ以上の前記測定値のそれぞれの高値、
前記１つ以上の測定値のそれぞれの低値、
前記１つ以上の測定値のそれぞれの最新値、
前記１つ以上の測定値のそれぞれの標準偏差、
前記１つ以上の測定値のそれぞれの平均値、又は
前記１つ以上の測定値のそれぞれの中央値、
のうちの少なくとも１つを識別することを含む、請求項２１に記載の方法。
【請求項２４】
前記少なくとも１つの統計的パラメータを識別することが、
前記複数のレコードのうちの前記１つ以上から、前記少なくとも１つの統計的パラメータを識別することと、
前記識別された少なくとも１つの統計的パラメータを、前記複数のレコードのうちの前記１つ以上の前記それぞれのプロセス変数に従ってフィルタ処理することと
を含む、請求項２１に記載の方法。
【請求項２５】
前記丸められたタイムスタンプ部分に基づく前記設定期間が経過していると判断することが、
現在の時刻を識別することと、
前記現在の時刻を前記丸められたタイムスタンプ部分に基づく前記設定期間と比較することと
を含む、請求項２１に記載の方法。
【請求項２６】
プロセス制御システムであって、
前記プロセス制御システム内のプロセスを制御するように構成されたコントローラと、
前記コントローラに通信可能に接続されたフィールド装置であって、前記フィールド装置が前記プロセス制御システム内の前記プロセスを制御するために物理的な機能を実行するように構成され、かつ前記フィールド装置が、前記物理的な機能に対応するリアルタイムデータを、前記コントローラに送信するか、または前記コントローラから受信するように構成された、フィールド装置と、
プロセス制御システムビッグデータ装置であって、前記プロセス制御システムビッグデータ装置が、
前記リアルタイムデータを格納するように構成されたデータ記憶装置と、
前記リアルタイムデータを前記フィールド装置から受信するように構成されたデータ受信装置であって、前記リアルタイムデータが、各々が（１）それぞれのプロセス変数と、（２）前記それぞれのプロセス変数と関連付けられた測定値と、（３）丸められたタイムスタンプ部分および残りのタイムスタンプ部分を含むタイムスタンプと、を有する複数のレコードを含む、データ受信装置と、
前記データ記憶装置および前記データ受信装置とインタフェースをとるように適合され、かつ、
前記丸められたタイムスタンプ部分に基づく設定期間が経過していると判断することと、
前記設定期間内に記録された前記複数のレコードのうちの１つ以上を識別することと、
前記複数のレコードのうちの前記１つ以上から少なくとも１つの統計的パラメータを識別することと、
前記少なくとも１つの統計的パラメータを、前記設定期間および前記それぞれのプロセス変数と関連付けられた期間データレコード内に格納することと
を行うように構成された、プロセッサと
を含む、プロセス制御システムビッグデータ装置と
を備え、
前記コントローラが、プロセス制御システムビッグデータネットワークの第１のノードであり、かつ、前記プロセス制御システムビッグデータ装置が前記プロセス制御システムビッグデータネットワークの第２のノードである、
プロセス制御システム。
【請求項２７】
前記丸められたタイムスタンプ部分が前記タイムスタンプの上位タイムスタンプに対応し、かつ、前記残りのタイムスタンプ部分が前記タイムスタンプの下位タイムスタンプに対応する、請求項２６に記載のプロセス制御システム。
【請求項２８】
前記プロセッサが、前記少なくとも１つの統計的パラメータを、前記複数のレコードのうちの前記１つ以上から、
１つ以上の前記測定値のそれぞれの高値、
前記１つ以上の測定値のそれぞれの低値、
前記１つ以上の測定値のそれぞれの最新値、
前記１つ以上の測定値のそれぞれの標準偏差、
前記１つ以上の測定値のそれぞれの平均値、又は
前記１つ以上の測定値のそれぞれの中央値、
のうちの少なくとも１つを識別することにより、識別する、請求項２６に記載のプロセス制御システム。
【請求項２９】
前記プロセッサが、前記少なくとも１つの統計的パラメータを、
前記複数のレコードのうちの前記１つ以上から、前記少なくとも１つの統計的パラメータを識別すること、および
前記識別された少なくとも１つの統計的パラメータを、前記複数のレコードのうちの前記１つ以上の前記それぞれのプロセス変数に従ってフィルタ処理すること
により識別する、請求項２６に記載のプロセス制御システム。
【請求項３０】
前記プロセッサが、
現在の時刻を識別すること、および
前記現在の時刻を前記丸められたタイムスタンプ部分に基づく前記設定期間と比較すること
により、
前記丸められたタイムスタンプ部分に基づく前記設定期間が経過していると判断する、
請求項２６に記載のプロセス制御システム。